(57)【特許請求の範囲】
【請求項１】
建物の壁面に取付けられこの壁面から突出する排水管からの排水を受ける排水桝の構造であって、
前記排水桝の一側面は、大きさの異なる複数のＵ字形板材が前記一側面内に同心円的に分離可能に配置され且つ各Ｕ字形板材の一対の上端部を前記側面の上端部に揃えて形成されるとともに前記各Ｕ字形板材の一対の上端部内法は前記排水管の異なる直径を内包する寸法に形成され、
前記一対の上端部のＵ字形内側部とＵ字形外側部に凸部と凹部をそれぞれ備えるとともに、最内側の前記Ｕ字形板材に隣接する前記側面の中央領域と最外側の前記Ｕ字形板材に隣接する前記側面に凹部と凸部がそれぞれ設けられ、
前記複数のＵ字形板材のうち、前記排水管の直径に対応するＵ字形板材を前記排水桝の一側面から分離して前記排水管を内包し前記壁面に固着した後、前記複数のＵ字形板材と最外側のＵ字形板材に隣接する側面のうち、前記壁面に固着されたＵ字形板材よりも外側に配置される部材を、前記複数の凸部と凹部を介して内側の部材から順次、前記壁面に固着されたＵ字形板材に取り付けるようにしたことを特徴とする排水桝。
【請求項２】
請求項1記載の排水桝であって、前記各Ｕ字形板材は前記壁面に固着される取付孔を備えることを特徴とする排水桝。
【請求項３】
請求項1又は請求項２に記載の排水桝であって、前記凸部と前記凹部はそれぞれ前記壁面から排水桝の内部側に突出して設けられることを特徴とする排水桝。
【請求項４】
請求項１乃至請求項３のいずれか１項に記載の排水桝であって、前記排水桝はその上端部を覆う蓋が設けられることを特徴とする排水桝。
【発明の詳細な説明】
【技術分野】
【０００１】
本発明は、建物の壁面から突出する排水管からの排水を受ける排水桝の構造に関し、詳しくは複数径の排水管に適応できる排水桝の構造に関する。
【背景技術】
【０００２】
従来、図１０（ａ）に示すように、屋根からの雨（排水）を建物の１壁面から突出する排水管２を介して、建物の壁面に取付けられる排水桝３に流し込み、排水桝３から竪樋４を通して排水する排水桝３の構造が知られている。
【０００３】
ところが、この排水桝３によると、排水管２のエルボ部が排水桝３の上方から排水桝３内に導入されるので、エルボ部が邪魔になり排水桝３の上部３ａに蓋が取付けられないため、落ち葉等が容易に排水桝３に侵入して排水が詰まってしまうという問題があった。
【０００４】
また、壁面１から突出する排水管２が建物外から丸見えのため目障りであるという問題があった。
【０００５】
さらに、排水桝３を建物の壁面１に取付けるための取付部材３ｂが外観的に目障りであるという問題があった。
【０００６】
この問題を解決するために、図１０（ｂ）に示すように、排水管２の挿入口２ａが予め排水桝３に形成される構造が知られている。
【０００７】
この排水桝３によると、排水管２のエルボ部が排水桝３の側面から排水桝３内に導入されるので、排水桝３の上部３ａに蓋５を取付けることができるので落ち葉等が排水桝３に侵入して排水が詰まってしまうという問題がなくなる。
【０００８】
また、排水管２が壁面１から突出して目障りであるという問題がなくなる。
【０００９】
ところが、この排水桝３の側面に形成される排水管２の挿入口２ａの大きさが固定されるので、この挿入口２ａに応じたサイズの排水管２以外には使用することができず、多種類の排水桝３を在庫する必要があるためコスト高に繋がるという問題があった。
【００１０】
このような問題を解決する方法として、特許文献１に、多種類の排水桝に対応できる取付装置の構成が開示されている。図１１（ａ）、（ｂ）に示すように、特許文献１の排水桝の取付装置７は３組の取付筒体８と鍔部９とからなっている。
【００１１】
３組の取付筒体８はいずれも同心円からなる円筒形で、内側より外側に向けて第１取付筒体１１ａ、第２取付筒体１２ａ、第３取付筒体１３ａに分けられている。
【００１２】
鍔部９には、円周方向にほぼ等間隔に円形の３本の切欠部１０が設けられ、この切欠部１０は内側より外側に向けて第１切欠部５１ａ、第２切欠部５２ａ、第３切欠部５３ａからなっている。鍔部９は切欠部１０によって第１鍔部２１ａ、第２鍔部２２ａ、第３鍔部２３ａ、第４鍔部２４ａとに分けられる。
【００１３】
そして、第１鍔部２１ａ、第２鍔部２２ａ、第３鍔部２３ａ、第４鍔部２４ａは下部の一部残された部分６ａでそれぞれが繋げられている。
【００１４】
第４鍔部２４ａには、円周方向に沿って略９０°毎に４個の取付孔２５ａが設けられている。
【００１５】
図１２に示すように、排水桝の取付装置７を取付ける場合には、施工現場にて、排水勾配を持って配管されている呼び樋１１の外径に合わせて、例えば一番内側の第１切欠部５１ａの下部の残された部分６ａで第１鍔部２１ａをカッターで切り取り、第１鍔部２１ａと第１取付筒体１１ａとを排水桝の取付装置７から取り外す。
【００１６】
次に、この排水桝の取付装置７の第２鍔部２２ａが付いた第２取付筒体１２ａを呼び樋１１に被嵌するとともに、建物の外側方向から取付筒体８を建物の外壁面に設けられている取付口１５に差し込む。
【００１７】
このように、建物の外壁面に突設する各サイズの異なる呼び樋１１に合致する取付筒体８を被嵌し、第４鍔部２４ａの取付孔２５ａにネジを差し込んで第４鍔部２４ａを建物の外壁面に取付けることによって、一つの排水桝の取付装置７で、取付筒体８の太さを調整して呼び樋１１の各サイズに対応させて接続することができる。
【特許文献１】特開平２０００−３８８１５号公報
【発明の開示】
【発明が解決しようとする課題】
【００１８】
ところが、従来の特許文献１の方法による排水桝の取付装置では、排水桝とは別途に呼び樋１１を用意する必要があるためコストアップに繋がるという問題があった。
【００１９】
そこで、本発明はかかる従来技術の問題に鑑みなされたものであって、一種類の排水桝そのものによって建物の壁面から突出する複数サイズの排水管に適応できる排水桝の構造を提供することを目的とする。
【課題を解決するための手段】
【００２０】
請求項１の発明は、建物の壁面に取付けられこの壁面から突出する排水管からの排水を受ける排水桝の構造であって、前記排水桝の一側面は、大きさの異なる複数のＵ字形板材が前記一側面内に同心円的に分離可能に配置され且つ各Ｕ字形板材の一対の上端部を前記側面の上端部に揃えて形成されるとともに前記各Ｕ字形板材の一対の上端部内法は前記排水管の異なる直径を内包する寸法に形成され、
前記一対の上端部のＵ字形内側部とＵ字形外側部に凸部と凹部をそれぞれ備えるとともに、最内側の前記Ｕ字形板材に隣接する前記側面の中央領域と最外側の前記Ｕ字形板材に隣接する前記側面に凹部と凸部がそれぞれ設けられ、
前記複数のＵ字形板材のうち、前記排水管の直径に対応するＵ字形板材を前記排水桝の一側面から分離して前記排水管を内包し前記壁面に固着した後、前記複数のＵ字形板材と最外側のＵ字形板材に隣接する側面のうち、前記壁面に固着されたＵ字形板材よりも外側に配置される部材を、前記複数の凸部と凹部を介して内側の部材から順次、前記壁面に固着されたＵ字形板材に取り付けるようにしたことを特徴としている。
【００２１】
請求項２の発明は、請求項1記載の排水桝であって、前記各Ｕ字形板材は前記壁面に固着される取付孔を備えることを特徴としている。
【００２２】
請求項３の発明は、請求項1又は請求項２に記載の排水桝であって、前記凸部と前記凹部はそれぞれ前記壁面から排水桝の内部側に突出して設けられる。
【００２３】
請求項４の発明は、請求項１乃至請求項３のいずれか１項に記載の排水桝であって、前記排水桝はその上端部を覆う蓋が設けられることを特徴としている。
【発明の効果】
【００２４】
請求項１記載の発明によれば、前記排水桝の一側面は、大きさの異なる複数のＵ字形板材が前記一側面内に同心円的に分離可能に配置され、前記一対の上端部のＵ字形内側部とＵ字形外側部に凸部と凹部をそれぞれ備えるとともに、最内側の前記Ｕ字形板材に隣接する前記側面の中央領域と最外側の前記Ｕ字形板材に隣接する前記側面に凹部と凸部がそれぞれ設けられている。
【００２５】
このため、当該の前記Ｕ字形板材を前記排水桝の一側面から分離して前記排水管を内包し前記壁面に固着した後、前記排水桝が分離固着した前記Ｕ字形板材と隣接する前記凸部と前記凹部を介して嵌着することができる。
【００２６】
そのため、一種類の排水桝によって建物の壁面から突出する複数サイズの排水管に適応することができる。
【００２７】
排水桝を前記壁面に固着されたＵ字形板材に直接取付けることでＵ字形板材そのものが排水桝の元の側面となるので、建物の壁面と排水桝間を連結する構成が不要になりコストダウンできる。
【００２８】
請求項２記載の発明によれば、前記各Ｕ字形板材は前記壁面に固着される取付孔を備えるので、取付孔を現場で加工する必要がないので各Ｕ字形板材を前記壁面に容易に確実に固着することができる。
【００２９】
請求項３記載の発明によれば、前記凸部と前記凹部はそれぞれ前記壁面から排水桝の内部側に突出して設けられるので、各Ｕ字形板材は前記凸部と前記凹部に邪魔されずに互いが密着した状態で前記排水桝の一側面を構成できる。
【００３０】
このため、排水桝を前記壁面に固着されたＵ字形板材に取付ける際に、Ｕ字形板材が互いが密着して排水桝の元々の側面となるので、前記壁面に安定して確実に取付けることができる。
【００３１】
請求項４記載の発明によれば、前記排水管が前記排水桝の上端部より下部側に位置するので前記排水桝を覆う蓋が設けられるため、落ち葉等が侵入することなく排水が詰まるという問題がなくなる。
【発明を実施するための最良の形態】
【００３２】
以下に、本発明の第１の実施形態を図１〜図７に基づいて説明する。
【００３３】
＜排水桝の構成＞
図１、図２に示すように、本発明の実施形態における排水桝３０は建物の壁面３１に取付けられ、この壁面３１から突出する排水管３２からの排水を受ける略直方体形状の排水桝３０である。
【００３４】
前記排水桝３０の一側面３３には、大きさの異なる複数のＵ字形板材３４（小さいＵ字形順に３４ａ、３４ｂ、３４ｃ）が一側面３３と同じ面内で同心円的に分離可能なように、個々に独立したＵ字形板材３４が配置される。
【００３５】
各Ｕ字形板材３４の一対の上端部３５（小さいＵ字形順に３５ａ、３５ｂ、３５ｃ）は前記側面３３の上端部３３ａに揃えて形成される。
【００３６】
また、前記各Ｕ字形板材３４の一対の上端部３５の内法は前記排水管３２の異なる直径をそれぞれ内包する寸法に形成される。このため、例えば排水管３２の直径Ｄが一番小さいＵ字形板材３４ａに対応する場合には、上端部３５ａの内法Ｄ１とすると、Ｄ１≧Ｄの関係である。
【００３７】
前記排水桝３０には前記排水桝３０の上端部３３ａを覆う蓋３３ｂが設けられる。
【００３８】
図３、図４、図５に示すように、前記各Ｕ字形板材３４の一対の上端部３５近傍のＵ字形内側部３７とＵ字形外側部３８に、凸部３７ａと凹部３８ａをそれぞれ前記側面３３から排水桝３０の内部側に突出して設けられる。
【００３９】
なお、一番小さい最内側のＵ字形板材３４ａに囲まれる側面３３の中央領域３９にも、Ｕ字形板材３４ａの凸部３７ａに対応する凹部３８ａが設けられ、一番大きい最外側のＵ字形板材３４ｃに隣接する側面３３側にはＵ字形板材３４ｃの凹部３８ａに対応する凸部３７ａが設けられる。
【００４０】
凸部３７ａは幅Ｐ３、高さＱ１、厚みＲ１の矩形平板からなりその上面が上端部３５と面一に形成される。そして、幅Ｐ２、高さＱ１、厚みＲ１からなる基部３７ｃがＵ字形板材３４に固着されるので、凸部３７ａのＵ字形板材３４から左方に突出する突出部３７ｂは幅Ｐ１、高さＱ１、厚みＲ１の大きさである。
【００４１】
凹部３８ａは幅Ｐ、高さＱ、厚みＲの矩形溝３８ｂを包含する厚みＴ１の構造体で、この矩形溝３８ｂは上方と右方が上端部３５とＵ字形板材３４の側面３４ｃと面一で開放され、下方と左方が厚みＴ１の壁で閉囲形成される。
【００４２】
そして、凸部３７ａと凹部３８ａは、幅Ｐ１＝幅Ｐ、高さＱ１＝高さＱ、厚みＲ１＝厚みＲの関係に形成されるので、分離したそれぞれの前記Ｕ字形板材３４（３４ａ、３４ｂ、３４ｃ）は互いに隣接する前記Ｕ字形板材３４の前記凸部３７ａと前記凹部３８ａを介して嵌着することができる。
【００４３】
各Ｕ字形板材３４を壁面３１に固着するための取付孔４０は、各Ｕ字形板材３４にそれぞれ３箇所設けられ、前記一対の上端部３５近傍にそれぞれ１箇所、Ｕ字形の対称軸上に１箇所設けられる。
【００４４】
ここで、排水桝３０の材質は、軽量化や耐腐食性を考慮して例えば硬質塩化ビニール樹脂等の合成樹脂で製作される。
【００４５】
＜排水桝の構成の作用＞
排水桝３０の取付け方法を順序に沿って説明する。
【００４６】
いま、排水管３２に対して一番小さいＵ字形板材３４ａが対応するとする。
【００４７】
図６に示すように、中央領域３９は不要のため既に排水桝３０の側面３３から取外されている。次に一番小さいＵ字形板材３４ａを側面３３から取外す。
【００４８】
図７に示すように、取外されたＵ字形板材３４ａを壁面３１から突出する排水管３２の周りに３箇所の取付孔４０を介してビス等により壁面３１に固着する。
【００４９】
そして、図８に示すように、Ｕ字形板材３４ａの凹部３８ａにＵ字形板材３４ｂの凸部３７ａが嵌入されるとともに、Ｕ字形板材３４ａとＵ字形板材３４ｂは当接する周囲面において接着剤で固着される。
【００５０】
同様の作業を繰り返すことにより、排水桝３０の各Ｕ字形板材３４ａ、３４ｂ、３４ｃ、及び、Ｕ字形板材３４ｃが隣接する側面３３（排水桝３０の一側面）は、それぞれ接着されるとともに凹部３８ａと凸部３７ａで嵌入懸架された状態となるので、排水桝３０全体がＵ字形板材３４ａに固着されたことになる。
【００５１】
より詳しくは、図３において、中央領域３９を取除き、それぞれのＵ字形板材３４及び側面３３が接着された状態となる。なお、不使用の取付孔４０はコーキング材等で塞いで置くことが排水桝３０の水漏れ対策上好ましい。
【００５２】
さらに、排水桝３０に連結する竪樋４２を固定金具４３によって壁面３１に固定されるので、排水桝３０は確実に安定して固着される。
【００５３】
なお、排水管３２に対応するＵ字形板材３４がＵ字形板材３４ｂ又はＵ字形板材３４ｃの場合も同様の方法で取付けることができる。
【００５４】
このように、一種類の排水桝によって建物の壁面から突出する複数サイズの排水管に適応できるので、在庫を減少するのでコストを下げることができる。
【００５５】
前記排水管３２が前記排水桝３０の上端部３３ａより下方に位置するので前記排水桝３０を覆う蓋３３ｂを設けることができるため落ち葉等が侵入することなく排水が詰まるという問題がなくなる。
【００５６】
また、壁面３１から突出する排水管３２が建物外から見えないので外観がよくなり商品価値が高まる。
【００５７】
排水桝３０をＵ字形板材３４に直接取付けるので排水桝３０を壁面３１に取付けるための取付部材が不要となりコストダウンが計れるとともに外観的に優れた構造となり商品価値が向上する。
【００５８】
＜第２の実施形態＞
本発明の第２の実施形態を図９（ａ）、（ｂ）に基づいて説明する。なお、図２に示す構造と同構成部分については、図面に同符号を付して重複した説明を省略する。
【００５９】
各Ｕ字形板材３４ａ、３４ｂ、３４ｃを一体成形し、各Ｕ字形板材３４ａ、３４ｂ、３４ｃ間の境界線３６はＶ字状溝に形成される。Ｖ字状溝の薄厚部は側面３３の板厚Ｔに比べて略５０％（厚みＴ／２）に形成されるので、分離時にハンマーやカッター等で容易に分離することができる。
【００６０】
この各Ｕ字形板材３４を含む側面３３の形成順序は、各Ｕ字形板材３４ａ、３４ｂ、３４ｃを側面３３とともにＶ字状溝を備えて一体成形した後に、凹部３８ａと凸部３７ａを別工程で固着する方法で形成することができる。
【００６１】
本発明の第２の実施形態によれば、必要な境界線３６のみを分離すればよいので、分離する必要のない境界線３６は接着剤による固着が不要になるため、現場での接着作業が大幅に省略できるので作業性が向上する。また、接着作業の不備による水漏れを未然に回避することができる。
【００６２】
以上、本発明の実施形態を図面に基づいて説明したが、上記の実施例はいずれも本発明の一例を示したものであり、本発明はこれらに限定されるべきでないということはいうまでもない。
【００６３】
たとえば、各Ｕ字形板材３４ａ、３４ｂ、３４ｃの境界線３６のＶ字状は側面３３の外部側に形成してもよい。
【００６４】
各Ｕ字形板材３４ａ、３４ｂ、３４ｃの境界線３６はＶ字状に形成するかわりに、予め境界線３６で側面３３を切断した後に接着剤で弱接着して易破断部を形成してもよい。
【００６５】
また、各Ｕ字形板材３４ａ、３４ｂ、３４ｃを一体成形し、境界線３６に焼入れにより脆くしておき、破断が必要な箇所をハンマー等により衝撃を与えることにより脆性破壊できる易破断部としてもよい。
【００６６】
側面３３の中央領域３９が現場で必ず不要になることが明確な場合には、中央領域３９の両側における一対の凹部３８ａと凸部３７ａは必ずしも設けなくてもよい。
【００６７】
排水桝３０の取付け方法に関して、Ｕ字形板材３４ａを３箇所の取付孔４０を介して壁面３１に固着した後に、他のＵ字形板材３４ｂ、３４ｃを接着剤を用いてＵ字形板材３４ａに連結する替わりに、各Ｕ字形板材３４ｂ、３４ｃの取付孔４０を用いてビス等で壁面３１に固着しても構わない。
【図面の簡単な説明】
【００６８】
【図１】本発明の第１の実施形態における、排水桝３０の正面透視図である。
【図２】本発明の第１の実施形態における、図１のＡ−Ａ矢視図である。
【図３】本発明の第１の実施形態における、Ｕ字形板材３４（３４ａ、３４ｂ、３４ｃ）と中央領域３９の連結斜視図である。
【図４】本発明の第１の実施形態における、Ｕ字形板材３４（３４ａ、３４ｂ、３４ｃ）と中央領域３９の分解斜視図である。
【図５】本発明の第１の実施形態における、図４の“Ｂ”の詳細斜視図である。
【図６】本発明の第１の実施形態における排水桝３０の取付け順の説明図で、排水桝３０の側面３３から中央領域３９を取外し、次に一番小さいＵ字形板材３４ａを取外す状態の側面透視図である。
【図７】本発明の第１の実施形態における排水桝３０の取付け順の説明図で、Ｕ字形板材３４ａを壁面３１に取付ける状態を示す斜視図である。
【図８】本発明の第１の実施形態における排水桝３０の取付け順の説明図で、排水桝３０をＵ字形板材３４ａに懸架し固着した状態を示す側面図である。
【図９】本発明の第２の実施形態における、（ａ）は排水桝３０の断面図、（ｂ）は図９（ａ）のＣ−Ｃ矢視図である。
【図１０】従来例における、（ａ）は壁面１に取付けられる排水桝３の状態を示す側面図、（ｂ）は他の従来例における壁面１に取付けられる排水桝３０の状態を示す正面図である。
【図１１】他の従来例における、（ａ）は排水桝の取付装置７の状態を示す斜視図、（ｂ）は図１１（ａ）のＤ−Ｄ断面含側面図である。
【図１２】他の従来例における、排水桝の取付装置７の取付け状態を示す断面図である。
【符号の説明】
【００６９】
３０  排水桝
３１  壁面
３２  排水管
３３  側面
３３ａ  上端部
３４  Ｕ字形板材
３４ａＵ字形板材
３４ｂＵ字形板材
３４ｃＵ字形板材
３５  上端部
３５ａ  上端部
３５ｂ  上端部
３５ｃ  上端部
３７  Ｕ字形内側部
３７ａ  凸部
３８  Ｕ字形外側部
３８ａ  凹部
４０  取付孔
【図１】
0004483721.tif 000002
【図２】
0004483721.tif 000003
【図３】
0004483721.tif 000004
【図４】
0004483721.tif 000005
【図５】
0004483721.tif 000006
【図６】
0004483721.tif 000007
【図７】
0004483721.tif 000008
【図８】
0004483721.tif 000009
【図９】
0004483721.tif 000010
【図１０】
0004483721.tif 000011
【図１１】
0004483721.tif 000012
【図１２】
0004483721.tif 000013